(57)【要約】【課題】受圧部材の撓み易さ及び剛性の双方を確保する。【解決手段】乗員の背を支える乗物用シートのシートバック内に、乗員の背からの荷重を受けた状態で後方へ移動可能な受圧部材が備えられており、受圧部材は、乗員の背からの荷重を前面にて受ける荷重受け部１１を有し、荷重受け部１１は、シート上下方向における長さがシート幅方向における長さよりも短くなるように形成された荷重受け部片１２と、荷重受け部片から荷重受け部１１の厚み方向に沿って突出しておりシート幅方向に沿って延出した後側補強リブ１７と、を備えている。【選択図】図９
2019182274.tif 000002
【特許請求の範囲】
【請求項１】
乗員の背を支えるシートバックを備える乗物用シートであって、
前記シートバック内には、乗員の背からの荷重を受けた状態で後方へ移動可能な受圧部材が備えられており、
該受圧部材は、乗員の背からの荷重を前面にて受ける荷重受け部を有し、
該荷重受け部は、
前記シートバックの上下方向における長さが前記乗物用シートの幅方向における長さよりも短くなるように形成された荷重受け部片と、
該荷重受け部片から前記荷重受け部の厚み方向に沿って突出しており、前記幅方向に沿って延出した補強部と、を備えていることを特徴とする乗物用シート。
【請求項２】
前記補強部は、前記荷重受け部片の後面に設けられていることを特徴とする請求項１に記載の乗物用シート。
【請求項３】
前記補強部は、前記上下方向における前記荷重受け部片の中央部に設けられていることを特徴とする請求項１又は２に記載の乗物用シート。
【請求項４】
前記荷重受け部片には、後方に凹むことで形成された溝状凹部が設けられており、
前記補強部は、前記荷重受け部片の後面中、前記溝状凹部が設けられている部分のうち、後方に最も隆起している部分に設けられていることを特徴とする請求項１乃至３のいずれか一項に記載の乗物用シート。
【請求項５】
前記荷重受け部片には、前記補強部とは異なる位置に配置されており前記補強部とは交差する交差補強部が設けられ、
該交差補強部は、前記荷重受け部の厚み方向に突出し、前記上下方向に沿って延出していることを特徴とする請求項１乃至４のいずれか一項に記載の乗物用シート。
【請求項６】
前記補強部の突出量は、前記交差補強部の突出量よりも大きいことを特徴とする請求項５に記載の乗物用シート。
【請求項７】
前記シートバックは、シートバックフレームを備え、
前記受圧部材は、前記荷重受け部を前記シートバックフレームに取り付けるための取り付け部を有し、
該取り付け部は、前記シートバックフレームの下部に接続される下部取り付け部を備え、
前記補強部は、前記幅方向において、前記下部取り付け部が設けられた位置に差し掛かるように配置されていることを特徴とする請求項１乃至６のいずれか一項に記載の乗物用シート。
【請求項８】
前記シートバックは、シートバックフレームを備え、
前記受圧部材は、前記荷重受け部を前記シートバックフレームに取り付けるための取り付け部を有し、
該取り付け部は、前記シートバックフレームの上部に接続される上部取り付け部を備え、
前記補強部は、前記幅方向において、前記上部取り付け部が設けられた位置から外れた位置に配置されていることを特徴とする請求項１乃至７のいずれか一項に記載の乗物用シート。
【請求項９】
前記補強部の突出量は、前記溝状凹部の深さよりも大きいことを特徴とする請求項４に記載の乗物用シート。
【請求項１０】
前記荷重受け部片は、前記上下方向において間隔をあけて複数設けられており、
複数の前記荷重受け部片は、第一の荷重受け部片と、前記幅方向において前記第一の荷重受け部片よりも短い第二の荷重受け部片と、を有し、
前記幅方向における前記補強部の両端の各々は、前記幅方向において前記第二の荷重受け部片よりも外側に位置していることを特徴とする請求項１乃至９のいずれか一項に記載の乗物用シート。
【発明の詳細な説明】
【技術分野】
【０００１】
本発明は、乗物用シートに係り、特に、乗員の背からの荷重を受けた状態で後方へ移動可能な受圧部材をシートバック内に備えた乗物用シートに関する。
【背景技術】
【０００２】
乗物用シートの中には、乗員の背からの荷重を受けた状態で後方へ移動可能な受圧部材をシートバック内に備えているシートが存在する。受圧部材は、乗物（例えば車両）が後面衝突した際に乗員の背から後方荷重を受けて後方に移動（変位）する。このような受圧部材の移動により、衝突時に乗員に掛かる荷重（衝撃荷重）を軽減させることが可能となる。
【０００３】
一方、上記の受圧部材については、乗員の背から入力させる荷重を効果的に受けられるように形状等が改良されている。具体的に説明すると、例えば、特許文献１に記載の車両用シートのシートバック内に設けられた受圧部材（特許文献１では「背凭れパネル」）は、その上下方向において、横幅が長い部分（幅広部）と横幅が短い部分（幅狭部）とが交互が並んだ形状となっている。このような構成であれば、幅狭部における横幅が幅広部の横幅よりも短くなっている分、受圧部材を軽量化させることが可能となる。また、幅広部及び幅狭部が交互に並んでいる構造の受圧部材では、その側端部が撓み易くなり、結果として乗員の背を支える際に乗員の背にフィット（追従）し易くなる。
【先行技術文献】
【特許文献】
【０００４】
【特許文献１】特開２０１０−１７３３５３号公報
【発明の概要】
【発明が解決しようとする課題】
【０００５】
しかしながら、特許文献１に記載された受圧部材の構成では、横幅がより長くなっている部分（すなわち、幅広部）の側端部が撓み易くなる反面、当該側端部の剛性を低下させてしまう虞がある。
【０００６】
そこで、本発明は、上記の問題に鑑みてなされたものであり、その目的は、受圧部材の撓み易さ及び剛性を確保することが可能な乗物用シートを提供することである。
【課題を解決するための手段】
【０００７】
前記課題は、本発明の乗物用シートによれば、乗員の背を支えるシートバックを備える乗物用シートであって、前記シートバック内には、乗員の背からの荷重を受けた状態で後方へ移動可能な受圧部材が備えられており、該受圧部材は、乗員の背からの荷重を前面にて受ける荷重受け部を有し、該荷重受け部は、前記シートバックの上下方向における長さが前記乗物用シートの幅方向における長さよりも短くなるように形成された荷重受け部片と、該荷重受け部片から前記荷重受け部の厚み方向に沿って突出しており、前記幅方向に沿って延出した補強部と、を備えていることにより解決される。
【０００８】
上記のように構成された乗物用シートでは、受圧部材の荷重受け部に横長な荷重受け部片が設けられている。また、荷重受け部片には、荷重受け部片から突出してシート幅方向に沿って延出した補強部が設けられている。これにより、荷重受け部片での撓み易さを確保しつつ、荷重受け部片の剛性を補強部によって向上させることが可能となる。
【０００９】
また、上記の乗物用シートに関して好適な構成を述べると、前記補強部は、前記荷重受け部片の後面に設けられているとよい。
上記の構成では、補強部が荷重受け部片の後面（すなわち、乗員の背からの荷重を受ける側とは反対の面）に設けられているので、補強部による補強効果を発揮させつつ、補強部がシートの乗り心地に影響を与えるのを抑えることが可能となる。
【００１０】
また、上記の乗物用シートに関して好適な構成を述べると、前記補強部は、前記上下方向における前記荷重受け部片の中央部に設けられているとよい。
上記の構成では、補強部がシート上下方向における荷重受け部片の中央部に設けられているので、荷重受け部片の剛性をシート上下方向においてバランスよく向上させることが可能となる。
【００１１】
また、上記の乗物用シートに関して好適な構成を述べると、前記荷重受け部片には、後方に凹むことで形成された溝状凹部が設けられており、前記補強部は、前記荷重受け部片の後面中、前記溝状凹部が設けられている部分のうち、後方に最も隆起している部分に設けられているとよい。
上記の構成では、荷重受け部片の後面中、溝状凹部が設けられている部分のうち、後方に最も隆起している部分に補強部が設けられている。このような構成であれば、荷重受け部片のうち、溝状凹部が設けられている部分が撓む際に、その撓み変形が補強部によって阻害されてしまうのを抑えることが可能となる。
【００１２】
また、上記の乗物用シートに関して好適な構成を述べると、前記荷重受け部片には、前記補強部とは異なる位置に配置されており前記補強部とは交差する交差補強部が設けられ、該交差補強部は、前記荷重受け部の厚み方向に突出し、前記上下方向に沿って延出しているとよい。
上記の構成では、補強部と共に交差補強部が更に荷重受け部片に設けられている。これにより、荷重受け部片の剛性をより一層向上させることが可能となる。
【００１３】
また、上記の乗物用シートに関して好適な構成を述べると、前記補強部の突出量は、前記交差補強部の突出量よりも大きいとよい。
上記の構成では、補強部の突出量が交差補強部の突出量よりも大きくなっているため、補強部による補強効果（すなわち、シート幅方向における剛性の強化）がより有効に発揮されるようになる。
【００１４】
また、上記の乗物用シートに関して好適な構成を述べると、前記シートバックは、シートバックフレームを備え、前記受圧部材は、前記荷重受け部を前記シートバックフレームに取り付けるための取り付け部を有し、該取り付け部は、前記シートバックフレームの下部に接続される下部取り付け部を備え、前記補強部は、前記幅方向において、前記下部取り付け部が設けられた位置に差し掛かるように配置されているとよい。
上記の構成では、荷重受け部をシートバックフレームに取り付けるための取り付け部中、下部取り付け部が設けられた位置に補強部が差し掛かるように、補強部が配置されている。このような構成であれば、下部取り付け部による荷重受け部の支持性能が向上し、結果として、荷重受け部がシートバックフレームに適切に取り付けられるようになる。
【００１５】
また、上記の乗物用シートに関して好適な構成を述べると、前記シートバックは、シートバックフレームを備え、前記受圧部材は、前記荷重受け部を前記シートバックフレームに取り付けるための取り付け部を有し、該取り付け部は、前記シートバックフレームの上部に接続される上部取り付け部を備え、前記補強部は、前記幅方向において、前記上部取り付け部が設けられた位置から外れた位置に配置されているとよい。
上記の構成では、荷重受け部をシートバックフレームに取り付けるための取り付け部中、上部取り付け部から外れた位置に補強部が設けられている。これにより、乗物が後面衝突したときに受圧部材が後方へ移動するように上部取り付け部が変形する（撓む）のを妨げずに、荷重受け部片の剛性を向上させることが可能となる。
【００１６】
また、上記の乗物用シートに関して好適な構成を述べると、前記補強部の突出量は、前記溝状凹部の深さよりも大きいとよい。
上記の構成では、補強部の突出量が溝状凹部の深さよりも大きくなっているため、その分、補強部による補強効果をより有効に発揮させることが可能となる。
【００１７】
また、上記の乗物用シートに関して好適な構成を述べると、前記荷重受け部片は、前記上下方向において間隔をあけて複数設けられており、複数の前記荷重受け部片は、第一の荷重受け部片と、前記幅方向において前記第一の荷重受け部片よりも短い第二の荷重受け部片と、を有し、前記幅方向における前記補強部の両端の各々は、前記幅方向において前記第二の荷重受け部片よりも外側に位置しているとよい。
上記の構成では、シート幅方向における補強部の両端が、第二の荷重受け部片よりもシート幅方向外側に位置している。すなわち、シート幅方向における補強部の長さが第二の荷重受け部片の長さよりも長くなっている。これにより、補強部による補強効果が一段と有効に発揮されるようになる。
【発明の効果】
【００１８】
本発明の乗物用シートによれば、荷重受け部片での撓み易さを確保しつつ、荷重受け部片の剛性を補強部によって向上させることが可能となる。
また、本発明の乗物用シートによれば、補強部が荷重受け部片の後面に設けられていることにより、補強部による補強効果を発揮させつつ、補強部がシートの乗り心地に影響を与えるのを抑えることが可能となる。
また、本発明の乗物用シートによれば、荷重受け部片の剛性をシート上下方向においてバランスよく向上させることが可能となる。
また、本発明の乗物用シートによれば、荷重受け部片のうち、溝状凹部が設けられている部分が撓む際に、その撓み変形が補強部によって阻害されるのを抑えることが可能となる。
また、本発明の乗物用シートによれば、補強部と共に交差補強部が更に荷重受け部片に設けられていることで、荷重受け部片の剛性をより一層向上させることが可能となる。
また、本発明の乗物用シートによれば、補強部の突出量が交差補強部の突出量よりも大きくなっている分、補強部による補強効果がより有効に発揮されるようになる。
また、本発明の乗物用シートによれば、荷重受け部をシートバックフレームに取り付けるための取り付け部が有する下部取り付け部について、荷重受け部の支持性能が向上する結果、荷重受け部がシートバックフレームに適切に取り付けられるようになる。
また、本発明の乗物用シートによれば、乗物が後面衝突して受圧部材が後方へ移動する際に、荷重受け部をシートバックフレームに取り付けるための取り付け部が有する上部取り付け部が変形するのを妨げずに、荷重受け部片の剛性を向上させることが可能となる。
また、本発明の乗物用シートによれば、補強部の突出量が溝状凹部の深さよりも大きくなっている分、補強部による補強効果をより有効に発揮させることが可能となる。
また、本発明の乗物用シートによれば、シート幅方向における補強部の長さが第二の荷重受け部片の長さよりも長くなっている分、補強部による補強効果が一段と有効に発揮されるようになる。
【図面の簡単な説明】
【００１９】
【図１】本発明の一実施形態に係る乗物用シートの斜視図である。
【図２】本発明の一実施形態に係る乗物用シートのシートフレームを示す図である。
【図３】本発明の一実施形態に係る受圧部材を斜め前方から見た図である。
【図４】本発明の一実施形態に係る受圧部材を斜め後方から見た図である。
【図５】本発明の一実施形態に係る受圧部材を正面から見た図である。
【図６】図５に図示した受圧部材中、荷重受け部が備える第一荷重受け部片及び第二荷重受け部片を拡大して示した図である。
【図７】図５中のＡ−Ａ断面を示す図である。
【図８】図５中のＢ−Ｂ面にて切断したときの受圧部材を示す図である。
【図９】図４に図示の受圧部材中、荷重受け部が備える第一荷重受け部片及び第二荷重受け部片を拡大して示した図である。
【発明を実施するための形態】
【００２０】
＜＜本発明の乗物用シートの構成例について＞＞
以下、本発明の一実施形態（本実施形態）に係る乗物用シートの構成について、図面を参照しながら説明する。ただし、以下に説明する実施形態は、本発明の理解を容易にするためのものであり、本発明を限定するものではない。すなわち、本発明は、その趣旨を逸脱することなく、変更、改良され得る。また、当然ながら、本発明には、その等価物が含まれ得る。
【００２１】
以下では、乗物用シートの一例として、自動車等の車両に搭載される車両用シートを挙げ、その構成例について説明することとする。ただし、本発明は、車両用シート以外の乗物用シート、例えば、船舶や航空機に搭載されるシートにも適用され得るものである。
【００２２】
また、以下の説明において、「前後方向」とは、車両用シートの前後方向であり、車両走行時の進行方向と一致する方向である。また、「シート幅方向」とは、車両用シートの幅方向であり、車両用シートに着座した乗員から見た左右方向と一致する方向である。また、「シート上下方向」とは、後述するシートバックＳ１の上端から下端に向かう方向であり、車両の高さ方向（車両が水平面上を走行しているときには鉛直方向と一致する方向）に対して若干傾いた方向である。
【００２３】
また、以下の説明中、「横幅」は、シート幅方向における長さを意味しており、「縦幅」は、シート上下方向における長さを意味している。
【００２４】
なお、以下に説明するシート各部の形状、位置及び姿勢等については、特に断る場合を除き、車両用シートが通常の使用状態（車両用シートが着座可能な位置にあり、シート各部が初期位置に配置された状態）にあるケースを想定して説明することとする。
【００２５】
先ず、本実施形態に係る車両用シート（以下、車両用シートＳ）の基本構成について、図１及び図２を参照しながら説明する。図１は、車両用シートＳの斜視図である。図２は、車両用シートＳの骨格をなすシートフレームを示す図である。なお、図２では、シートフレームを簡略化して図示しており、受圧部材１０中の一部の構成（例えば、後述する溝状凹部１３や補強リブ等）については、図示を省略している。
【００２６】
車両用シートＳは、後述する受圧部材１０を備える点を除き、一般的な車両用シートと略同様の構成となっている。具体的に説明すると、車両用シートＳは、図１に示すように、乗員の背を支えるシートバックＳ１と、乗員の臀部を支えるシートクッションＳ２と、乗員の頭部を支えるヘッドレストＳ３と、を備える。
【００２７】
また、シートバックＳ１は、その内部にシートバックフレーム１と受圧部材１０と、を有する。シートバックフレーム１は、シートバックＳ１の骨格をなす。シートバックフレーム１は、正面視で略矩形状の枠をなしており、図２に示すようにサイドフレーム２と、上部フレーム３と、ロアメンバーフレーム４とを有する。サイドフレーム２は、シート幅方向において互いに離間した位置に一対設けられている。上部フレーム３は、左右一対のサイドフレーム２の上端部同士を連結している。ロアメンバーフレーム４は、左右一対のサイドフレーム２の下端部の間に架設されている。
【００２８】
上記のように構成されたシートバックフレーム１の前に不図示のクッションパッドを配置し、当該クッションパッドの表面を表皮によって覆うことでシートバックＳ１が構成される。また、シートバックＳ１内には、図２に示すように受圧部材１０が備えられている。この受圧部材１０は、乗員の背から入力される荷重を前面にて受ける部材である。また、車両用シートＳが搭載された車両が後面衝突したとき、乗員の背から荷重（衝撃荷重）が受圧部材１０に入力されると、受圧部材１０は、乗員の背によって押されて乗員と共に後方に移動（変位）する。このような受圧部材１０の変位により、衝突時に乗員の頸部に掛かる荷重（衝撃荷重）が軽減される。
【００２９】
以下、受圧部材１０の構成について、既出の図２、及び図３〜図９を参照しながら詳しく説明する。図３〜５は、受圧部材１０の外観を示す図であり、図３は、受圧部材１０を斜め前方から見た図であり、図４は、受圧部材１０を斜め後方から見た図であり、図５は、受圧部材１０を正面（前方）から見た図である。図６は、図５に図示した受圧部材１０中の一部分（具体的には、後述する上方受け部１１Ｕが備える第一の荷重受け部片１２ａ及び第二の荷重受け部片１２ｂ）を拡大して示した図である。図７は、図５中のＡ−Ａ断面を示す図である。図８は、図５中のＢ−Ｂ面にて切断したときの受圧部材１０を示す図である。図９は、図４に図示の受圧部材１０中の一部分（具体的には、後述する上方受け部１１Ｕが備える第一の荷重受け部片１２ａ及び第二の荷重受け部片１２ｂ）を拡大して示した図である。
【００３０】
受圧部材１０は、前述したように、乗員の背からの荷重を受けた状態で後方へ移動可能に構成されている。また、受圧部材１０は、図２に示すように、シートバックＳ１を構成するクッションパッドの後方に配置されている。より具体的に説明すると、受圧部材１０は、左右一対のサイドフレーム２、上部フレーム３及びロアメンバーフレーム４によって囲まれた矩形状スペース内に配置されている。
【００３１】
受圧部材１０は、シート幅方向の中央を境にして左右対称に構成されており、図３〜図５に示すように、荷重受け部１１及び取り付けワイヤ２０を有する。荷重受け部１１は、乗員の背からの荷重を受ける部分であり、樹脂製のプレート（板状部材）を図３や図４等に図示の形状に成形することで構成されている。
【００３２】
取り付けワイヤ２０は、荷重受け部１１をシートバックフレーム１に取り付けるための取り付け部として機能し、金属製のワイヤを所定形状に折り曲げることで構成され、荷重受け部１１に組み付けられている。なお、本実施形態において、取り付けワイヤ２０は、インサート成形によって荷重受け部１１と一体的に成形される。すなわち、取り付けワイヤ２０の一部（主として、後述する上下方向延出部２３の一部）は、荷重受け部１１を構成する樹脂プレート内に埋め込まれている。
以下、荷重受け部１１及び取り付けワイヤ２０の各々の構成について説明する。
【００３３】
＜荷重受け部の構成＞
荷重受け部１１は、前述したように、樹脂製のプレートによって構成されている。本実施形態の荷重受け部１１は、図３〜図５に示すように、上側部分（以下、上方受け部１１Ｕ）と下側部分（以下、下方受け部１１Ｌ）とに分かれている。下方受け部１１Ｌは、図５に示すように正面視で矩形形状をなした部分であり、車両後突時には乗員の背のうち、主に腰部に相当する部位を支える。
【００３４】
上方受け部１１Ｕは、図５に示すように人体の肋骨形状を模した形状をなした部分であり、車両後突時には乗員の背のうち、主に胸椎部に相当する部位を支える。上方受け部１１Ｕの下端部は、連絡部１９を介して下方受け部１１Ｌの上端部と連結している。なお、連絡部１９は、その横幅が上方受け部１１Ｕや下方受け部１１Ｌの横幅に比して十分短くなった形状をなしており、シート幅方向において互いに離れた位置に複数（本実施形態では２個）設けられている。
【００３５】
上方受け部１１Ｕの構成について説明すると、上方受け部１１Ｕは、シート幅方向に長い細長部分である荷重受け部片１２を有する。この荷重受け部片１２は、縦幅が横幅に対して十分に短くなるように形成されており、本実施形態では図５に示すように長円状に形成されている。上方受け部１１Ｕには、荷重受け部片１２がシート上下方向において間隔を開けて複数（本実施形態では５個）設けられている。なお、荷重受け部片１２の形状及び個数については、上記の内容に限定されるものではなく、荷重受け部１１がその機能を良好に発揮し得る限りにおいては、自由に設計することが可能である。
【００３６】
複数設けられた荷重受け部片１２のうち、最も上方に位置する荷重受け部片１２と、それ以外の荷重受け部片１２との間では形状が異なっている。より詳しく説明すると、最も上方に位置する荷重受け部片１２以外の荷重受け部片１２は、第一の荷重受け部片１２ａに該当する。各第一の荷重受け部片１２ａの横幅は、第一の荷重受け部片１２ａの間で均一となっている。一方、最も上方に位置する荷重受け部片１２は、第二の荷重受け部片１２ｂに該当する。第二の荷重受け部片１２ｂの横幅は、図５や図６に示すように、第一の荷重受け部片１２ａの横幅よりも短くなっている。
【００３７】
上方受け部１１Ｕのうち、第二の荷重受け部片１２ｂよりも上方に位置する部分（以下、上方受け部１１Ｕの上端部）は、図５に示すように、正面視で略台形状をなしており、その横幅は、第二の荷重受け部片１２ｂの横幅よりも幾分短くなっている。
【００３８】
また、複数の荷重受け部片１２の各々は、乗員の背を良好に支えるようにシート幅方向に対して若干曲がっている。具体的に説明すると、シート幅方向における荷重受け部片１２の両端部の各々（以下、シート幅方向端部１２ｔ）は、図７に示すように、シート幅方向端部１２ｔ中、シート幅方向外側に位置する部分がシート幅方向内側に位置する部分よりも前方に位置するように屈曲している。つまり、各荷重受け部片１２のシート幅方向端部１２ｔには、屈曲箇所１２ｘが存在する。
【００３９】
また、図５及び図６に示すように、複数の荷重受け部片１２の各々には、シート幅方向に沿って長く形成された溝状凹部１３が設けられている。溝状凹部１３は、荷重受け部片１２の前面のうち、シート上下方向における中央部分を後方に凹ませることで形成されている。換言すると、荷重受け部片１２の後面のうち、シート上下方向における中央部分は、溝状凹部１３の形成に伴って隆起して隆起部１２ｒを形成している。なお、隆起部１２ｒは、図８に示すように側方視で略円弧状に隆起している。
【００４０】
溝状凹部１３は、荷重受け部片１２のシート幅方向一端部から他端部に亘って連続して形成されている。溝状凹部１３の開口は、荷重受け部片１２の前面に設けられており、図６に示すように長円形状をなしている。また、本実施形態において、溝状凹部１３の開口の横幅は、当該溝状凹部１３が形成されている荷重受け部片１２の横幅よりも一回り小さくなっており、溝状凹部１３の開口の縦幅は、当該溝状凹部１３が形成されている荷重受け部片１２の縦幅の約半分となっている。
【００４１】
また、第一の荷重受け部片１２ａに形成された溝状凹部１３のサイズ（横幅及び縦幅）は、第一の荷重受け部片１２ａ間で均一となっている。一方、第二の荷重受け部片１２ｂに形成された溝状凹部１３の横幅は、第一の荷重受け部片１２ａに形成された溝状凹部１３の横幅よりも幾分短くなっている。
【００４２】
さらに、荷重受け部１１において第二の荷重受け部片１２ｂの直上位置に在る部分、すなわち、荷重受け部１１の上端部にも溝状凹部１３が設けられている。荷重受け部１１の上端部に設けられた溝状凹部１３は、当該上端部のシート幅方向一端から他端まで延びている。
【００４３】
また、荷重受け部１１は、荷重受け部１１の剛性を高めるために形成された３種類の補強リブを備えている。具体的に説明すると、荷重受け部１１の前面には、図５及び図６に示すように、荷重受け部片１２から荷重受け部１１の厚み方向に沿って前方に突出した補強リブ（以下、前側補強リブ１６）が設けられている。また、荷重受け部１１の後面には、図９に示すように、荷重受け部片１２から荷重受け部１１の厚み方向に沿って後方に突出した補強リブ（以下、後側補強リブ１７）が設けられている。さらに、荷重受け部１１の後面には、後側補強リブ１７に交差する補強リブ（以下、交差補強リブ１８）が設けられている。
【００４４】
以上のように本実施形態では、各荷重受け部片１２に前側補強リブ１６、後側補強リブ１７及び交差補強リブ１８が設けられている。これにより、荷重受け部片１２を設けて荷重受け部１１の撓み易さ（厳密には、荷重受け部片１２での撓み易さ）を確保すると共に、荷重受け部片１２の剛性を確保することも可能となる。
なお、各補強リブについては、後に詳述することとする。
【００４５】
また、荷重受け部１１は、シート上下方向において荷重受け部片１２の間に配置された連結部１４を有する。連結部１４は、シート上下方向において荷重受け部片１２の間を連結する部分である。連結部１４のうち、第一の荷重受け部片１２ａ同士の間を連結する連結部１４は、比較的横幅が短い矩形形状をなしており、本実施形態では、図５に示すようにシート幅方向において互いに離れた位置に一対ずつ設けられている。これに対し、第一の荷重受け部片１２ａと第二の荷重受け部片１２ｂとの間を連結する連結部１４は、比較的横幅が長い帯形状をなしており、第一の荷重受け部片１２ａ及び第二の荷重受け部片１２ｂの各々のシート幅方向中央部分を連結するように設けられている。
【００４６】
なお、第一の荷重受け部片１２ａ同士を連結する連結部１４は、第一の荷重受け部片１２ａ間の隙間の数に応じて複数設けられている。そして、複数の連結部１４（第一の荷重受け部片１２ａ同士を連結する連結部１４）の各々は、シート幅方向において同じ位置に配置されており、図５に示すように一直線上に並んでいる。
【００４７】
また、荷重受け部１１には、荷重受け部１１の軽量化を図るために形成された貫通穴１５が設けられている。この貫通穴１５は、荷重受け部１１の厚み方向において荷重受け部１１を貫通した正面視で略矩形状の穴である。本実施形態において、貫通穴１５は、シート上下方向において荷重受け部片１２から外れた位置に設けられており、具体的には、図５及び図６に示すように連結部１４に設けられている。より詳しく説明すると、第一の荷重受け部片１２ａ同士の間を連結している左右一対の連結部１４の各々に貫通穴１５が形成されている。また、第一の荷重受け部片１２ａ及び第二の荷重受け部片１２ｂの間を連結している連結部１４には、シート幅方向において互いに異なる位置に複数（本実施形態では２つ）設けられている。
【００４８】
なお、本実施形態では、図５に示すように、シート幅方向における貫通穴１５の形成位置が荷重受け部片１２間で揃っている。より詳しく説明すると、第一の荷重受け部片１２ａ同士の間を連結している左右一対の連結部１４のうち、左側（シート幅方向一端側）の連結部１４に設けられた貫通穴１５は、シート幅方向において、第一の荷重受け部片１２ａと第二の荷重受け部片１２ｂとの間を連結している連結部１４に形成された左右一対の貫通穴１５のうち、左側（シート幅方向一端側）の貫通穴１５と同じ位置に形成されている。同様に、第一の荷重受け部片１２ａ同士の間を連結している左右一対の連結部１４のうち、右側（シート幅方向他端側）の連結部１４に設けられた貫通穴１５は、シート幅方向において、第一の荷重受け部片１２ａと第二の荷重受け部片１２ｂとの間を連結している連結部１４に形成された左右一対の貫通穴１５のうち、右側（シート幅方向他端側）の貫通穴１５と同じ位置に形成されている。
【００４９】
次に、上述した各種の補強リブについて詳しく説明する。
前側補強リブ１６は、荷重受け部片１２の前面に形成されており、図６に示すようにシート上下方向に沿って延出している。本実施形態において、前側補強リブ１６は、荷重受け部１１をなす樹脂プレート中、前側補強リブ１６以外の部分と同一の材質からなり、前側補強リブ１６以外の部分と一体化するように形成されている。つまり、前側補強リブ１６は、荷重受け部１１をなす樹脂プレートを成形する際に他の部分（前側補強リブ１６以外の部分）と共に一体成形される。
【００５０】
前側補強リブ１６は、複数の荷重受け部片１２の各々に複数設けられており、具体的には、シート幅方向に沿って並ぶように複数配置されている。より具体的に説明すると、前側補強リブ１６は、荷重受け部片１２のシート幅方向一端部から他端部に亘って列をなすように、間隔を開けながら複数設けられている。また、本実施形態では、シート幅方向における荷重受け部１１の中央を境にして対称となるように前側補強リブ１６が配置されている。なお、前側補強リブ１６の個数については、特に限定されるものではなく、任意の数（ただし、少なくとも２個以上であることが望ましい）に設定することが可能である。
【００５１】
また、各荷重受け部片１２に設けられた複数の前側補強リブ１６の各々の形成位置は、図５に示すように、荷重受け部片１２間で揃っている。具体的に説明すると、シート上下方向において互いに隣り合う２つの荷重受け部片１２のうち、一方の荷重受け部片１２（分かり易くは、上側）に設けられた複数の前側補強リブ１６の各々と、他方の荷重受け部片１２（分かり易くは、下側）に設けられた複数の前側補強リブ１６の各々と、がシート幅方向において同じ位置に並ぶように配置されている。換言すると、各荷重受け部片１２に設けられた複数の前側補強リブ１６のうち、シート幅方向の所定位置に配置された前側補強リブ１６は、当該所定位置において一直線上に並ぶように配置されている。
【００５２】
また、第一の荷重受け部片１２ａに設けられている前側補強リブ１６の個数は、第一の荷重受け部片１２ａ間で揃っている。さらに、第一の荷重受け部片１２ａに設けられている前側補強リブ１６の個数は、第二の荷重受け部片１２ｂに設けられている前側補強リブ１６の個数よりも多い。ここで、第一の荷重受け部片１２ａに設けられた前側補強リブ１６のうち、シート幅方向端部に配置された前側補強リブ１６は、シート幅方向において第二の荷重受け部片１２ｂよりも外側の位置にある。すなわち、本実施形態では、シート幅方向において第二の荷重受け部片１２ｂよりも外側の位置に前側補強リブ１６が配置されている。
【００５３】
また、図５、図６及び図８に示すように、前側補強リブ１６は、溝状凹部１３内に配置されている。換言すると、各荷重受け部片１２に設けられた前側補強リブ１６は、当該各荷重受け部片１２に形成された溝状凹部１３内に収容されている。さらに、図８に示すように、荷重受け部片１２において溝状凹部１３の開口周縁に位置する面１２ｓと、前側補強リブ１６の突出方向における前側補強リブ１６の端（すなわち、先端１６ａ）とが、荷重受け部１１の厚み方向において同じ位置にある。つまり、本実施形態では、開口周縁に位置する面１２ｓと、前側補強リブ１６の先端１６ａの面と、が同一面上にあり、前側補強リブ１６が完全に溝状凹部１３内に収まっている。
【００５４】
なお、図５に示すように、荷重受け部１１の上端部に設けられた溝状凹部１３、すなわち、第二の荷重受け部片１２ｂの直上位置に設けられた溝状凹部１３内にも前側補強リブ１６が設けられている。
【００５５】
後側補強リブ１７は、荷重受け部片１２の後面に形成された補強部であり、図９に示すようにシート幅方向に沿って直線状に延出している。本実施形態において、後側補強リブ１７は、荷重受け部１１をなす樹脂プレートを成形する際に他の部分（後側補強リブ１７以外の部分）と共に一体成形される。
【００５６】
後側補強リブ１７は、複数の荷重受け部片１２の各々に一つずつ設けられており、具体的には、図８に示すようにシート上下方向における各荷重受け部片１２の中央部に設けられている。より厳密に説明すると、後側補強リブ１７は、各荷重受け部片１２の後面に形成された隆起部１２ｒ（換言すると、溝状凹部１３が設けられている部分）のうち、後方に最も隆起している部分に設けられている。
【００５７】
また、本実施形態において、後側補強リブ１７は、溝状凹部１３の深さ（荷重受け部１１の厚み方向における長さ）よりも長く突出している。つまり、本実施形態では、後側補強リブ１７の突出量が溝状凹部１３の深さよりも大きくなっている。
【００５８】
また、後側補強リブ１７は、図９に示すように、隆起部１２ｒ（換言すると、溝状凹部１３が設けられている部分）のシート幅方向一端部から他端部に亘って連続して設けられている。
【００５９】
交差補強リブ１８は、交差補強部に該当し、荷重受け部１１の後面に形成されており、シート上下方向に沿って直線状に延出している。本実施形態において、交差補強リブ１８は、荷重受け部１１をなす樹脂プレートを成形する際に他の部分（交差補強リブ１８以外の部分）と共に一体成形される。
【００６０】
交差補強リブ１８は、荷重受け部１１の後面において後側補強リブ１７とは異なる位置に配置されており、具体的には、図９に示すように、連結部１４及び各荷重受け部片１２中、連結部１４と隣り合う部分に配置されている。かかる位置に設けられた交差補強リブ１８は、後側補強リブ１７とは交差（厳密には、略直交）している。なお、本実施形態において、交差補強リブ１８は、シート上下方向に沿って十分長く延出しており、複数の荷重受け部片１２の各々に設けられた後側補強リブ１７のすべてと交差している。
【００６１】
また、本実施形態では、図９に示すように、複数の交差補強リブ１８が形成されており、具体的には、荷重受け部１１の後面のうち、シート幅方向一端寄りの領域に２つ、シート幅方向他端よりの領域に２つ設けられている。なお、交差補強リブ１８の個数については、特に限定されるものではなく、任意の数に設定することが可能である。
【００６２】
また、本実施形態において、交差補強リブ１８は、後側補強リブ１７の突出量よりも短い突出量だけ突出している。換言すると、本実施形態では、後側補強リブ１７の突出量が後側補強リブ１７の突出量よりも大きくなっている。
【００６３】
＜取り付けワイヤの構成＞
取り付けワイヤ２０は、荷重受け部１１に組み付けられており、厳密には荷重受け部１１内に一部がインサートされている。取り付けワイヤ２０は、図２〜図５に示すように、上部取り付け部２１と、下部取り付け部２２と、上下方向延出部２３と、を有する。
【００６４】
上部取り付け部２１は、シートバックフレーム１の上部フレーム３（上部）に接続される部分であり、荷重受け部１１よりも上方に配置されている。また、上部取り付け部２１は、図５に示すように、シート幅方向において互いに離間した位置に一対設けられている。
【００６５】
下部取り付け部２２は、シートバックフレーム１のロアメンバーフレーム４（下部）に接続される部分であり、荷重受け部１１よりも下方に配置されている。下部取り付け部２２は、シート幅方向に長く延出している。また、図５に示すように、下部取り付け部２２の中途位置には、受圧部材１０（厳密には、取り付けワイヤ２０の下部取り付け部２２）をロアメンバーフレーム４に取り付けるための取り付けクリップ５が装着されている。
【００６６】
上下方向延出部２３は、上部取り付け部２１と下部取り付け部２２との間に位置し、シート上下方向に沿って延出している部分であり、荷重受け部１１に組み付けられている（インサートされている）。また、上下方向延出部２３は、図５に示すように、シート幅方向において互いに離間した位置に一対設けられている。
【００６７】
また、上下方向延出部２３は、図５に示すように、荷重受け部１１に形成された貫通穴１５を通過するように設けられている。換言すると、上下方向延出部２３は、シート幅方向において、貫通穴１５が設けられている範囲と上下方向延出部２３が配置されている範囲とが部分的に重なるように設けられている。なお、上下方向延出部２３のうち、貫通穴１５を通過している部分は、図５に示すように貫通穴１５を通じて露出している。一方、上下方向延出部２３のうち、荷重受け部１１にインサートされた部分は、荷重受け部片１２を縦断している。
【００６８】
また、荷重受け部１１において上下方向延出部２３がインサートされている部分は、荷重受け部片１２のシート幅方向端部１２ｔよりもシート幅方向内側にあり、より具体的には、図７に示すように、シート幅方向端部１２ｔ内に在る屈曲箇所１２ｘよりも若干内側に位置している。
【００６９】
＜＜前側補強リブと周辺機器との位置関係＞＞
以下、前側補強リブ１６とその周辺機器との位置関係について、図５〜図７を参照しながら説明する。
前側補強リブ１６は、図５に示すように、シート幅方向において、取り付けワイヤ２０の上部取り付け部２１が設けられた位置から外れた位置に配置されている。具体的に説明すると、各荷重受け部片１２に設けられた複数の前側補強リブ１６の各々は、シート幅方向において上部取り付け部２１よりも内側に位置している。
【００７０】
また、図５に示すように、各荷重受け部片１２に設けられた複数の前側補強リブ１６のうちの幾つかは、シート幅方向において、取り付けワイヤ２０の下部取り付け部２２が設けられている範囲内に配置されている。その一方で、複数の前側補強リブ１６のうち、シート幅方向において最も外側に位置する前側補強リブ１６は、シート幅方向において下部取り付け部２２よりも外側に位置している。
【００７１】
また、図５や図６に示すように、各荷重受け部片１２において、上下方向延出部２３がインサートされている部分の両脇に前側補強リブ１６が配置されている。換言すると、前側補強リブ１６は、シート幅方向において前側補強リブ１６の間に上下方向延出部２３が位置するように複数配置されている。なお、上下方向延出部２３の両脇に位置する前側補強リブ１６は、図５や図６に示すように、シート幅方向において貫通穴１５が当該前側補強リブ１６の間に位置するように配置されている。換言すると、前側補強リブ１６は、シート幅方向において、貫通穴１５が設けられている範囲から外れた位置に配置されている。
【００７２】
また、各荷重受け部片１２において前側補強リブ１６は、少なくとも４つ以上配置されている。さらに、前側補強リブ１６間の間隔は、シート幅方向における前側補強リブ１６の位置に応じて異なっている。前側補強リブ１６間の間隔と前側補強リブ１６の位置との関係について図６を参照しながら説明すると、上下方向延出部２３の両脇に位置する前側補強リブ１６同士の間の隙間は、最も広くなっている。一方、上下方向延出部２３の脇位置にある前側補強リブ１６と、当該上下方向延出部２３の脇位置にある前側補強リブ１６と上下方向延出部２３とは反対側で隣り合う前側補強リブ１６と、の間の隙間は、最も狭くなっている。かかる位置よりも上下方向延出部２３から離れた位置に配置された前側補強リブ１６の間の間隔は、図６に示すように、上下方向延出部２３から離れるほど広くなっている。
【００７３】
また、各荷重受け部片１２に設けられた前側補強リブ１６は、図７に示すように、シート幅方向において、荷重受け部片１２のシート幅方向端部１２ｔ中の屈曲箇所１２ｘから離れた位置に配置されている。厳密に説明すると、屈曲箇所１２ｘに最も近い位置にある前側補強リブ１６は、屈曲箇所１２ｘから若干外れた位置に配置されている。
【００７４】
また、図５に示すように、シート幅方向において連結部１４が設けられた範囲内（ただし、貫通穴１５が設けられた範囲を除く）には、前側補強リブ１６が複数配置されている。
【００７５】
＜＜裏側補強リブと周辺機器との位置関係＞＞
以下、後側補強リブ１７とその周辺機器との位置関係について、図４及び図９を参照しながら説明する。
後側補強リブ１７は、図４及び図９から分かるように、シート幅方向において、取り付けワイヤ２０の上部取り付け部２１が設けられた位置から外れた位置に配置されている。具体的に説明すると、各荷重受け部片１２に形成された後側補強リブ１７は、シート幅方向において左右一対の上部取り付け部２１の間に位置している。
【００７６】
また、後側補強リブ１７は、図４及び図９から分かるように、シート幅方向において、取り付けワイヤ２０の下部取り付け部２２が設けられた位置に差し掛かるように配置されている。より具体的に説明すると、第一の荷重受け部片１２ａに設けられた後側補強リブ１７は、その横幅が下部取り付け部２２の横幅より長くなるように形成されている。そして、シート幅方向において、第一の荷重受け部片１２ａに設けられた後側補強リブ１７の両端位置の間に下部取り付け部２２が配置されている。また、第二の荷重受け部片１２ｂに設けられた後側補強リブ１７は、その横幅が下部取り付け部２２の横幅と等しくなるように形成されている。そして、シート幅方向において、第一の荷重受け部片１２ａに設けられた後側補強リブ１７の位置と下部取り付け部２２の位置とが重なるように、下部取り付け部２２が配置されている。
【００７７】
また、第一の荷重受け部片１２ａに設けられた後側補強リブ１７は、図４及び図９から分かるように、シート幅方向において第二の荷重受け部片１２ｂの端位置よりも外側まで延びている。すなわち、本実施形態において、第一の荷重受け部片１２ａに設けられた後側補強リブ１７のシート幅方向両端の各々は、シート幅方向において第二の荷重受け部片１２ｂよりも外側に位置している。
【００７８】
＜＜交差補強リブと周辺機器との位置関係＞＞
以下、交差補強リブ１８とその周辺機器との位置関係について図９を参照しながら説明する。
交差補強リブ１８は、図９に示すように、取り付けワイヤ２０が備える左右一対の上下方向延出部２３の各々の両脇位置に配置されている。すなわち、本実施形態では、シート幅方向において、それぞれの上下方向延出部２３を挟む位置に交差補強リブ１８が配置されている。なお、上下方向延出部２３を挟み込む一対の交差補強リブ１８のうち、シート幅方向内側に位置する交差補強リブ１８は、図９に示すように、荷重受け部１１の上端部から延出しており、その下端は、荷重受け部１１の下方受け部１１Ｌの中央部（シート上下方向における中央部）に達している。
【符号の説明】
【００７９】
１  シートバックフレーム
２  サイドフレーム
３  上部フレーム
４  ロアメンバーフレーム
５  取り付けクリップ
１０  受圧部材
１１  荷重受け部
１１Ｕ  上方受け部
１１Ｌ  下方受け部
１２  荷重受け部片
１２ａ  第一の荷重受け部片
１２ｂ  第二の荷重受け部片
１２ｒ  隆起部
１２ｔ  シート幅方向端部
１２ｓ  開口周縁に位置する面
１２ｘ  屈曲箇所
１３  溝状凹部
１４  連結部
１５  貫通穴
１６  前側補強リブ
１６ａ  先端
１７  後側補強リブ（補強部）
１８  交差補強リブ（交差補強部）
１９  連絡部
２０  取り付けワイヤ（取り付け部）
２１  上部取り付け部
２２  下部取り付け部
２３  上下方向延出部
Ｓ  車両用シート（乗物用シート）
Ｓ１  シートバック
Ｓ２  シートクッション
Ｓ３  ヘッドレスト
【図１】
2019182274.tif 000003
【図２】
2019182274.tif 000004
【図３】
2019182274.tif 000005
【図４】
2019182274.tif 000006
【図５】
2019182274.tif 000007
【図６】
2019182274.tif 000008
【図７】
2019182274.tif 000009
【図８】
2019182274.tif 000010
【図９】
2019182274.tif 000011